(57)【要約】      （修正有）【課題】無線通信システムにおける好適な装置対装置端末の信号送信方法及び装置を提供する。【解決手段】ＴＤＤ（Ｔｉｍｅ  Ｄｉｖｉｓｉｏｎ  Ｄｕｐｌｅｘ）無線通信システムにおいて、端末（ＵＥ）がＤ２Ｄ（Ｄｅｖｉｃｅ  ｔｏ  Ｄｅｖｉｃｅ）信号を送信するときに、ＵＥは、プライマリ同期信号及びセカンダリ同期信号を生成して送信する。ＵＥがカバレッジ内のＵＥであるときに、ＵＥは、プライマリ同期信号及びセカンダリ同期信号の送信に対して、０よりも大きい値を有する固定タイミングアドバンスオフセットを適用する。ＵＥがカバレッジ外のＵＥであるときに、ＵＥは、プライマリ同期信号及びセカンダリ同期信号の送信に対して、０の値を有する固定タイミングアドバンスオフセットを適用する。【選択図】図５
2018164275.tif 000002
【特許請求の範囲】
【請求項１】
ＴＤＤ（Ｔｉｍｅ  Ｄｉｖｉｓｉｏｎ  Ｄｕｐｌｅｘ）無線通信システムにおいて端末（ＵＥ）によりＤ２Ｄ（Ｄｅｖｉｃｅ  ｔｏ  Ｄｅｖｉｃｅ）信号を送信する方法であって、前記方法は、
プライマリ同期信号及びセカンダリ同期信号を生成することと、
前記プライマリ同期信号及び前記セカンダリ同期信号を送信することと
を含み、
前記ＵＥがカバレッジ内のＵＥであるときに、前記ＵＥは、前記プライマリ同期信号及び前記セカンダリ同期信号の送信に対して、０よりも大きい値を有する固定タイミングアドバンスオフセットを適用し、
前記ＵＥがカバレッジ外のＵＥであるときに、前記ＵＥは、前記プライマリ同期信号及び前記セカンダリ同期信号の送信に対して、０の値を有する固定タイミングアドバンスオフセットを適用する、方法。
【請求項２】
前記０よりも大きい値を有する固定タイミングアドバンスオフセットは、６２４Ｔｓである、請求項１に記載の方法。
【請求項３】
前記固定タイミングアドバンスオフセットは、下りリンク無線フレームを基準として適用される、請求項１に記載の方法。
【請求項４】
前記セル選択受信レベル値は、
【数１】
2018164275.tif 000047
によって決定され、
【数２】
2018164275.tif 000048
は前記セル選択受信レベル値であり、
【数３】
2018164275.tif 000049
はＲＳＲＰ（Ｒｅｆｅｒｅｎｃｅ  Ｓｉｇｎａｌ  Ｒｅｃｅｉｖｅｄ  Ｐｏｗｅｒ）値であり、
【数４】
2018164275.tif 000050
は、セル内の最小要求受信レベルであり、
【数５】
2018164275.tif 000051
はオフセット値であり、
【数６】
2018164275.tif 000052
は、ＵＥの最大Ｔｘ電力値と最大ＲＦ（Ｒａｄｉｏ  Ｆｒｅｑｕｅｎｃｙ）出力電力値との差及び０のうちの大きい方の値であり、
【数７】
2018164275.tif 000053
は臨時オフセット値である、請求項１に記載の方法。
【請求項５】
前記セル選択品質値は、
【数８】
2018164275.tif 000054
によって決定され、
【数９】
2018164275.tif 000055
は前記セル選択品質値であり、
【数１０】
2018164275.tif 000056
はＲＳＲＱ（Ｒｅｆｅｒｅｎｃｅ  Ｓｉｇｎａｌ  Ｒｅｃｅｉｖｅｄ  Ｑｕａｌｉｔｙ）値であり、
【数１１】
2018164275.tif 000057
はセル内での最小要求品質レベルであり、
【数１２】
2018164275.tif 000058
はオフセット値であり、
【数１３】
2018164275.tif 000059
は臨時オフセット値である、請求項１に記載の方法。
【請求項６】
前記ＵＥがカバレッジ外のＵＥである場合に、前記ＵＥは、Ｄ２Ｄ同期信号のフォーマットによって、デュプレックスモードがＴＤＤであることを認識する、請求項１に記載の方法。
【請求項７】
前記ＵＥがカバレッジ外のＵＥである場合に、前記ＵＥは、Ｄ２Ｄ同期信号と共に送信される情報を介して、デュプレックスモードがＴＤＤであることを認識する、請求項１に記載の方法。
【請求項８】
ＴＤＤ（Ｔｉｍｅ  Ｄｉｖｉｓｉｏｎ  Ｄｕｐｌｅｘ）無線通信システムにおいてＤ２Ｄ（Ｄｅｖｉｃｅ  ｔｏ  Ｄｅｖｉｃｅ）信号を送信する端末（ＵＥ）であって、前記ＵＥは、
受信モジュールと、
プロセッサと
を含み、
前記プロセッサは、
プライマリ同期信号及びセカンダリ同期信号を生成することと、
前記プライマリ同期信号及び前記セカンダリ同期信号を送信することと
を実行するように構成されており、
前記ＵＥがカバレッジ内のＵＥであるときに、前記プライマリ同期信号及び前記セカンダリ同期信号の送信に対して、０よりも大きい値を有する固定タイミングアドバンスオフセットが適用され、
前記ＵＥがカバレッジ外のＵＥであるときに、前記プライマリ同期信号及び前記セカンダリ同期信号の送信に対して、０の値を有する固定タイミングアドバンスオフセットが適用される、ＵＥ。
【請求項９】
前記０よりも大きい値を有する固定タイミングアドバンスオフセットは、６２４Ｔｓである、請求項８に記載のＵＥ。
【発明の詳細な説明】
【技術分野】
【０００１】
以下の説明は、無線通信システムに係り、より詳細には、装置対装置通信において信号送信方法及び装置に関する。
【背景技術】
【０００２】
無線通信システムが音声やデータなどのような様々な通信サービスを提供するために広範囲に展開されている。一般に、無線通信システムは、可用のシステムリソース（帯域幅、送信電力など）を共有して複数ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
装置対装置（Ｄｅｖｉｃｅ−ｔｏ−Ｄｅｖｉｃｅ；Ｄ２Ｄ）通信とは、端末（Ｕｓｅｒ  Ｅｑｕｉｐｍｅｎｔ；ＵＥ）間に直接的なリンクを設定し、基地局（ｅｖｏｌｖｅｄ  ＮｏｄｅＢ；ｅＮＢ）の介入無しで端末間に音声、データなどを直接やり取りする通信方式のことをいう。Ｄ２Ｄ通信は、端末−対−端末（ＵＥ−ｔｏ−ＵＥ）通信、ピア−対−ピア（Ｐｅｅｒ−ｔｏ−Ｐｅｅｒ）通信などの方式を含むことができる。また、Ｄ２Ｄ通信方式は、Ｍ２Ｍ（Ｍａｃｈｉｎｅ−ｔｏ−Ｍａｃｈｉｎｅ）通信、ＭＴＣ（Ｍａｃｈｉｎｅ  Ｔｙｐｅ  Ｃｏｍｍｕｎｉｃａｔｉｏｎ）などに応用することができる。
【０００４】
Ｄ２Ｄ通信は、急増しているデータトラフィックによる基地局の負担を解決可能な一つの方案として考慮されている。例えば、Ｄ２Ｄ通信によれば、既存の無線通信システムと違い、基地局の介入無しで装置間にデータをやり取りするので、ネットワークの過負荷が減る。また、Ｄ２Ｄ通信を導入することによって、基地局における手順の減少、Ｄ２Ｄに参加する装置の消費電力の低減、データ伝送速度の増加、ネットワークの収容能力の増大、負荷の分散、セルカバレッジの拡大などの効果を期待することができる。
【発明の概要】
【発明が解決しようとする課題】
【０００５】
本発明は、Ｄ２Ｄ信号の送信時にオフセットを適用するか否かを定義することを技術的課題とする。
【０００６】
本発明で達成しようとする技術的課題は、以上で言及した技術的課題に制限されず、言及していない他の技術的課題は、以下の記載から、本発明の属する技術分野における通常の知識を有する者に明確に理解されるであろう。
【課題を解決するための手段】
【０００７】
本発明の一実施例は、ＴＤＤ（Ｔｉｍｅ  Ｄｉｖｉｓｉｏｎ  Ｄｕｐｌｅｘ）無線通信システムにおいて端末がＤ２Ｄ（Ｄｅｖｉｃｅ  ｔｏ  Ｄｅｖｉｃｅ）信号を送信する方法であって、プライマリ同期信号及びセカンダリ同期信号を生成するステップ；及び前記プライマリ同期信号及びセカンダリ同期信号がマッピングされたサブフレームを送信するステップを含み、前記端末のセル選択受信レベル値及びセル選択品質値がいずれも０より大きい場合、前記端末は、前記サブフレームの送信時に、０よりも大きい値の固定タイミングアドバンスオフセット（例えば、６２４Ｔｓ）を適用する、Ｄ２Ｄ信号送信方法である。
【０００８】
本発明の一実施例は、ＴＤＤ（Ｔｉｍｅ  Ｄｉｖｉｓｉｏｎ  Ｄｕｐｌｅｘ）無線通信システムにおいてＤ２Ｄ（Ｄｅｖｉｃｅ  ｔｏ  Ｄｅｖｉｃｅ）信号を送信する端末装置であって、受信モジュール；及びプロセッサを含み、前記プロセッサは、プライマリ同期信号及びセカンダリ同期信号を生成し、前記プライマリ同期信号及びセカンダリ同期信号がマッピングされたサブフレームを送信し、前記端末のセル選択受信レベル値及びセル選択品質値がいずれも０より大きい場合、前記端末は、前記サブフレームの送信時に、０よりも大きい値の固定タイミングアドバンスオフセットを適用する、端末装置である。
【０００９】
前記端末のセル選択受信レベル値及びセル選択品質値のうち１つでも０より小さい場合、前記端末は、前記サブフレームの送信時に、０の値を有する固定タイミングアドバンスオフセットを適用することができる。
【００１０】
前記固定タイミングアドバンスオフセットは、下りリンク無線フレームを基準として適用されてもよい。
【００１１】
前記０よりも大きい値の固定タイミングアドバンスオフセットは、６２４Ｔｓであってもよい。
【００１２】
前記プライマリ同期信号及びセカンダリ同期信号は、前記端末が受信したプライマリ同期信号及びセカンダリ同期信号と時間軸上で互いに異なるリソースにマッピングされてもよい。
【００１３】
前記セル選択受信レベル値は、次の式によって決定され、
【化１】
2018164275.tif 000003
前記
【化２】
2018164275.tif 000004
は前記セル選択受信レベル値、
【化３】
2018164275.tif 000005
はＲＳＲＰ（Ｒｅｆｅｒｅｎｃｅ  Ｓｉｇｎａｌ  Ｒｅｃｅｉｖｅｄ  Ｐｏｗｅｒ）、
【化４】
2018164275.tif 000006
はセル内の最小要求受信レベル、
【化５】
2018164275.tif 000007
はオフセット値、
【化６】
2018164275.tif 000008
は、端末の最大送信電力値と端末の最大ＲＦ出力値との差及び０のうち大きい値、
【化７】
2018164275.tif 000009
は臨時オフセット値であってもよい。
【００１４】
前記セル選択品質値は、次の式によって決定され、
【化８】
2018164275.tif 000010
前記
【化９】
2018164275.tif 000011
は前記セル選択品質値、前記
【化１０】
2018164275.tif 000012
はＲＳＲＱ（Ｒｅｆｅｒｅｎｃｅ  Ｓｉｇｎａｌ  Ｒｅｃｉｅｖｅｄ  Ｑｕａｌｉｔｙ）、
【化１１】
2018164275.tif 000013
はセル内での最小要求品質レベル、
【化１２】
2018164275.tif 000014
はオフセット値、
【化１３】
2018164275.tif 000015
は臨時オフセット値であってもよい。
【００１５】
前記端末がカバレッジ外の端末である場合、前記端末は、Ｄ２Ｄ同期信号のフォーマットによって、デュプレックスモードが前記ＴＤＤであることを認識することができる。
【００１６】
前記端末がカバレッジ外の端末である場合、前記端末は、Ｄ２Ｄ同期信号と共に送信される情報を介して、デュプレックスモードが前記ＴＤＤであることを認識することができる。
【００１７】
前記固定タイミングアドバンスオフセットの大きさは、ホップカウントに応じて可変することができる。
【００１８】
前記ホップカウント値０は、基地局の同期信号送信を意味するものであってもよい。
【００１９】
前記ホップカウント値は、同期信号が基地局から何回リレーされたものであるかを示すことができる。
本発明は、例えば、以下を提供する。
（項目１）
ＴＤＤ（Ｔｉｍｅ  Ｄｉｖｉｓｉｏｎ  Ｄｕｐｌｅｘ）無線通信システムにおいて端末がＤ２Ｄ（Ｄｅｖｉｃｅ  ｔｏ  Ｄｅｖｉｃｅ）信号を送信する方法であって、
プライマリ同期信号及びセカンダリ同期信号を生成するステップと、
前記プライマリ同期信号及びセカンダリ同期信号がマッピングされたサブフレームを送信するステップと、
を含み、
前記端末のセル選択受信レベル値及びセル選択品質値がいずれも０より大きい場合、前記端末は、前記サブフレームの送信時に、０よりも大きい値の固定タイミングアドバンスオフセット（例えば、６２４Ｔｓ）を適用する、Ｄ２Ｄ信号送信方法。
（項目２）
前記端末のセル選択受信レベル値及びセル選択品質値のうち１つでも０より小さい場合、前記端末は、前記サブフレームの送信時に、０の値を有する固定タイミングアドバンスオフセットを適用する、項目１に記載のＤ２Ｄ信号送信方法。
（項目３）
前記固定タイミングアドバンスオフセットは、下りリンク無線フレームを基準として適用される、項目１に記載のＤ２Ｄ信号送信方法。
（項目４）
前記０よりも大きい値の固定タイミングアドバンスオフセットは、６２４である、項目１に記載のＤ２Ｄ信号送信方法。
（項目５）
前記プライマリ同期信号及びセカンダリ同期信号は、前記端末が受信したプライマリ同期信号及びセカンダリ同期信号と時間軸上で互いに異なるリソースにマッピングされる、項目１に記載のＤ２Ｄ信号送信方法。
（項目６）
前記セル選択受信レベル値は、次の式によって決定され、
【化１４】
2018164275.tif 000016
前記
【化１５】
2018164275.tif 000017
は前記セル選択受信レベル値、
【化１６】
2018164275.tif 000018
はＲＳＲＰ（Ｒｅｆｅｒｅｎｃｅ  Ｓｉｇｎａｌ  Ｒｅｃｅｉｖｅｄ  Ｐｏｗｅｒ）、
【化１７】
2018164275.tif 000019
は、セル内の最小要求受信レベル、
【化１８】
2018164275.tif 000020
はオフセット値、
【化１９】
2018164275.tif 000021
は、端末の最大送信電力値と端末の最大ＲＦ出力値との差及び０のうち大きい値、
【化２０】
2018164275.tif 000022
は臨時オフセット値である、項目１に記載のＤ２Ｄ信号送信方法。
（項目７）
前記セル選択品質値は、次の式によって決定され、
【化２１】
2018164275.tif 000023
前記
【化２２】
2018164275.tif 000024
は前記セル選択品質値、前記
【化２３】
2018164275.tif 000025
はＲＳＲＱ（Ｒｅｆｅｒｅｎｃｅ  Ｓｉｇｎａｌ  Ｒｅｃｉｅｖｅｄ  Ｑｕａｌｉｔｙ）、
【化２４】
2018164275.tif 000026
はセル内での最小要求品質レベル、
【化２５】
2018164275.tif 000027
はオフセット値、
【化２６】
2018164275.tif 000028
は臨時オフセット値である、項目１に記載のＤ２Ｄ信号送信方法。
（項目８）
前記端末がカバレッジ外の端末である場合、前記端末は、Ｄ２Ｄ同期信号のフォーマットによって、デュプレックスモードが前記ＴＤＤであることを認識する、項目１に記載のＤ２Ｄ信号送信方法。
（項目９）
前記端末がカバレッジ外の端末である場合、前記端末は、Ｄ２Ｄ同期信号と共に送信される情報を介して、デュプレックスモードが前記ＴＤＤであることを認識する、項目１に記載のＤ２Ｄ信号送信方法。
（項目１０）
前記固定タイミングアドバンスオフセットの大きさは、ホップカウントに応じて可変する、項目１に記載のＤ２Ｄ信号送信方法。
（項目１１）
前記ホップカウント値０は、基地局の同期信号送信を意味するものである、項目１０に記載のＤ２Ｄ信号送信方法。
（項目１２）
前記ホップカウント値は、同期信号が基地局から何回リレーされたものであるかを示す、項目１に記載のＤ２Ｄ信号送信方法。
（項目１３）
ＴＤＤ（Ｔｉｍｅ  Ｄｉｖｉｓｉｏｎ  Ｄｕｐｌｅｘ）無線通信システムにおいてＤ２Ｄ（Ｄｅｖｉｃｅ  ｔｏ  Ｄｅｖｉｃｅ）信号を送信する端末装置であって、
受信モジュールと、
プロセッサとを含み、
前記プロセッサは、プライマリ同期信号及びセカンダリ同期信号を生成し、前記プライマリ同期信号及びセカンダリ同期信号がマッピングされたサブフレームを送信し、
前記端末のセル選択受信レベル値及びセル選択品質値がいずれも０より大きい場合、前記端末は、前記サブフレームの送信時に、０よりも大きい値の固定タイミングアドバンスオフセットを適用する、端末装置。
【発明の効果】
【００２０】
本発明の実施例によれば、Ｄ２Ｄ同期信号の送信において発生し得るタイミング歪みを低減することができる。
【００２１】
本発明から得られる効果は、以上で言及した効果に制限されず、言及していない他の効果は、以下の記載から、本発明の属する技術分野における通常の知識を有する者に明確に理解されるであろう。
【図面の簡単な説明】
【００２２】
本明細書に添付された図面は、本発明に対する理解を提供するためのもので、本発明の様々な実施形態を示し、明細書の記載と共に本発明の原理を説明するためのものである。
【００２３】
【図１】無線フレームの構造を示す図である。
【００２４】
【図２】下りリンクスロットにおけるリソースグリッド（ｒｅｓｏｕｒｃｅ  ｇｒｉｄ）を示す図である。
【００２５】
【図３】下りリンクサブフレームの構造を示す図である。
【００２６】
【図４】上りリンクサブフレームの構造を示す図である。
【００２７】
【図５】同期信号のリレーを説明するための図である。
【図６】同期信号のリレーを説明するための図である。
【００２８】
【図７】本発明の実施例によるＤ２Ｄ信号の送信時のオフセット適用方法を説明するための図である。
【図８】本発明の実施例によるＤ２Ｄ信号の送信時のオフセット適用方法を説明するための図である。
【図９】本発明の実施例によるＤ２Ｄ信号の送信時のオフセット適用方法を説明するための図である。
【図１０】本発明の実施例によるＤ２Ｄ信号の送信時のオフセット適用方法を説明するための図である。
【００２９】
【図１１】送受信装置の構成を示した図である。
【発明を実施するための最良の形態】
【００３０】
以下の実施例は、本発明の構成要素及び特徴を所定の形態で結合したものである。各構成要素又は特徴は、別に明示しない限り、選択的なものとして考慮されてもよい。各構成要素又は特徴は、他の構成要素や特徴と結合しない形態で実施されてもよく、また、一部の構成要素及び／又は特徴は結合されて本発明の実施例を構成してもよい。本発明の実施例で説明される動作の順序は変更されてもよい。ある実施例の一部の構成や特徴は、他の実施例に含まれてもよく、他の実施例の対応する構成又は特徴に代えてもよい。
【００３１】
本明細書では、本発明の実施例を、基地局と端末間におけるデータ送受信の関係を中心に説明する。ここで、基地局は、端末と直接に通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われてもよい。
【００３２】
すなわち、基地局を含む複数のネットワークノード（ｎｅｔｗｏｒｋ  ｎｏｄｅｓ）で構成されるネットワークにおいて、端末との通信のために行われる様々な動作は、基地局、又は基地局以外の他のネットワークノードにより行われるということは明らかである。「基地局（ＢＳ：Ｂａｓｅ  Ｓｔａｔｉｏｎ）」は、固定局（ｆｉｘｅｄ  ｓｔａｔｉｏｎ）、ＮｏｄｅＢ、ｅＮｏｄｅＢ（ｅＮＢ）、アクセスポイント（ＡＰ：Ａｃｃｅｓｓ  Ｐｏｉｎｔ）などの用語に代えてもよい。中継機は、Ｒｅｌａｙ  Ｎｏｄｅ（ＲＮ）、Ｒｅｌａｙ  Ｓｔａｔｉｏｎ（ＲＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。また、以下の説明において、「基地局」とは、スケジューリング実行ノード、クラスターヘッダー（ｃｌｕｓｔｅｒ  ｈｅａｄｅｒ）などの装置を指す意味としても使用可能である。もし、基地局やリレーも、端末が送信する信号を送信すれば、一種の端末と見なすことができる。
【００３３】
以下に記述されるセルの名称は、基地局（ｂａｓｅ  ｓｔａｔｉｏｎ、ｅＮＢ）、セクタ（ｓｅｃｔｏｒ）、リモートラジオヘッド（ｒｅｍｏｔｅ  ｒａｄｉｏ  ｈｅａｄ，ＲＲＨ）、リレー（ｒｅｌａｙ）などの送受信ポイントに適用され、また、特定送受信ポイントで構成搬送波（ｃｏｍｐｏｎｅｎｔ  ｃａｒｒｉｅｒ）を区分するための包括的な用語で使われてもよい。
【００３４】
以下の説明で使われる特定用語は、本発明の理解を助けるために提供されたもので、これらの特定用語の使用は、本発明の技術的思想から逸脱することなく他の形態に変更されてもよい。
【００３５】
場合によっては、本発明の概念が曖昧になることを避けるために、公知の構造及び装置を省略したり、各構造及び装置の核心機能を中心にしたブロック図の形式で示すこともできる。また、本明細書全体を通じて同一の構成要素には同一の図面符号を付して説明する。
【００３６】
本発明の実施例は、無線接続システムであるＩＥＥＥ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることができる。すなわち、本発明の実施例において本発明の技術的思想を明確にするために説明していない段階又は部分は、上記の標準文書でサーポートすることができる。なお、本文書で開示している全ての用語は、上記の標準文書によって説明することができる。
【００３７】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰＬＴＥの進展である。ＷｉＭＡＸは、ＩＥＥＥ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ８０２．１６ｍ規格（ＷｉｒｅｌｅｓｓＭＡＮ−ＯＦＤＭＡ  Ａｄｖａｎｃｅｄ  ｓｙｓｔｅｍ）によって説明することができる。明確性のために、以下では、３ＧＰＰ  ＬＴＥ及びＬＴＥ−Ａシステムを中心に説明するが、本発明の技術的思想はこれに制限されない。
【００３８】
ＬＴＡ／ＬＴＡ−Ａリソース構造／チャネル
【００３９】
図１を参照して無線フレームの構造について説明する。
【００４０】
セルラーＯＦＤＭ無線パケット通信システムにおいて、上り／下りリンク信号パケット送信はサブフレーム（ｓｕｂｆｒａｍｅ）単位に行われ、１サブフレームは、複数のＯＦＤＭシンボルを含む一定の時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００４１】
図１（ａ）は、タイプ１無線フレームの構造を例示する図である。下りリンク無線フレームは１０個のサブフレームで構成され、１個のサブフレームは時間領域（ｔｉｍｅ  ｄｏｍａｉｎ）において２個のスロット（ｓｌｏｔ）で構成される。１個のサブフレームを送信するためにかかる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓであってよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムでは、下りリンクでＯＦＤＭＡを用いているため、ＯＦＤＭシンボルが１シンボル区間を表す。ＯＦＤＭシンボルは、ＳＣ−ＦＤＭＡシンボル又はシンボル区間と呼ぶこともできる。リソースブロック（ＲＢ）はリソース割当て単位であり、１スロットにおいて複数個の連続した副搬送波（ｓｕｂｃａｒｒｉｅｒ）を含むことができる。
【００４２】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なってもよい。ＣＰには、拡張ＣＰ（ｅｘｔｅｎｄｅｄ  ＣＰ）及び一般ＣＰ（ｎｏｒｍａｌ  ＣＰ）がある。例えば、ＯＦＤＭシンボルが一般ＣＰによって構成された場合、１スロットに含まれるＯＦＤＭシンボルの数は７個であってよい。ＯＦＤＭシンボルが拡張ＣＰによって構成された場合、１  ＯＦＤＭシンボルの長さが増加するため、１スロットに含まれるＯＦＤＭシンボルの数は、一般ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合は、シンボル間干渉をより減らすために、拡張ＣＰを用いることができる。
【００４３】
一般ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００４４】
図１（ｂ）は、タイプ２無線フレームの構造を示す図である。タイプ２無線フレームは、２ハーフフレーム（ｈａｌｆ  ｆｒａｍｅ）で構成される。各ハーフフレームは、５サブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）、及びＵｐＰＴＳ（Ｕｐｌｉｎｋ  Ｐｉｌｏｔ  Ｔｉｍｅ  Ｓｌｏｔ）で構成され、ここで、１サブフレームは２スロットで構成される。ＤｗＰＴＳは、端末での初期セル探索、同期化又はチャネル推定に用いられる。ＵｐＰＴＳは、基地局でのチャネル推定と端末の上り送信同期を取るために用いられる。保護区間は、上りリンク及び下りリンク間に下りリンク信号の多重経路遅延によって上りリンクで生じる干渉を除去するための区間である。一方、無線フレームのタイプにかかわらず、１個のサブフレームは２個のスロットで構成される。
【００４５】
無線フレームの構造は例示に過ぎず、無線フレームに含まれるサブフレームの数、サブフレームに含まれるスロットの数、又はスロットに含まれるシンボルの数は様々に変更されてもよい。
【００４６】
図２は、下りリンクスロットにおけるリソースグリッド（ｒｅｓｏｕｒｃｅ  ｇｒｉｄ）を示す図である。同図で、１下りリンクスロットは時間領域で７個のＯＦＤＭシンボルを含み、１リソースブロック（ＲＢ）は周波数領域で１２個の副搬送波を含むとしたが、本発明はこれに制限されない。例えば、一般ＣＰ（ｎｏｒｍａｌ−Ｃｙｃｌｉｃ  Ｐｒｅｆｉｘ）では１スロットが７ＯＦＤＭシンボルを含むが、拡張ＣＰ（ｅｘｔｅｎｄｅｄ−ＣＰ）では１スロットが６ＯＦＤＭシンボルを含んでもよい。リソースグリッド上のそれぞれの要素をリソース要素（ｒｅｓｏｕｒｃｅ  ｅｌｅｍｅｎｔ）と呼ぶ。１リソースブロックは１２×７個のリソース要素を含む。下りリンクスロットに含まれるリソースブロックの個数ＮＤＬは、下り送信帯域幅による。上りリンクスロットは下りリンクスロットと同一の構造を有することができる。
【００４７】
図３は、下りリンクサブフレームの構造を示す図である。１サブフレーム内で第１のスロットにおける先頭部の最大３個のＯＦＤＭシンボルは、制御チャネルが割り当てられる制御領域に該当する。残りのＯＦＤＭシンボルは、物理下り共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムで用いられる下り制御チャネルには、例えば、物理制御フォーマット指示子チャネル（Ｐｈｙｓｉｃａｌ  Ｃｏｎｔｒｏｌ  Ｆｏｒｍａｔ  ＩｎｄｉｃａｔｏｒＣｈａｎｎｅｌ；ＰＣＦＩＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ  ＡＣＫ／ＮＡＣＫ信号を含む。ＰＤＣＣＨで送信される制御情報を、下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクスケジューリング情報を含んだり、任意の端末グループに対する上り送信電力制御命令を含む。ＰＤＣＣＨは、下り共有チャネル（ＤＬ−ＳＣＨ）のリソース割当て及び送信フォーマット、上り共有チャネル（ＵＬ−ＳＣＨ）のリソース割当て情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当て、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信されてもよく、端末は複数のＰＤＣＣＨをモニタすることができる。ＰＤＣＣＨは一つ以上の連続する制御チャネル要素（Ｃｏｎｔｒｏｌ  Ｃｈａｎｎｅｌ  Ｅｌｅｍｅｎｔ；ＣＣＥ）の組み合わせ（ａｇｇｒｅｇａｔｉｏｎ）で送信される。ＣＣＥは、無線チャネルの状態に基づくコーディングレートでＰＤＣＣＨを提供するために用いられる論理割当て単位である。ＣＣＥは、複数個のリソース要素グループに対応する。ＰＤＣＣＨのフォーマットと利用可能なビット数は、ＣＣＥの個数とＣＣＥによって提供されるコーディングレート間の相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００４８】
図４は、上りリンクサブフレームの構造を示す図である。上りリンクサブフレームは、周波数領域で制御領域とデータ領域とに区別できる。制御領域には上りリンク制御情報を含む物理上り制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザーデータを含む物理上り共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットに対して互いに異なった副搬送波を占める。これを、ＰＵＣＣＨに割り当てられるリソースブロック対がスロット境界で周波数−ホップ（ｆｒｅｑｕｅｎｃｙ−ｈｏｐｐｅｄ）するという。
【００４９】
Ｄ２Ｄ端末の同期取得
【００５０】
以下では、上述した説明及び既存のＬＴＥ／ＬＴＥ−Ａシステムに基づいて、Ｄ２Ｄ通信において端末間同期取得について説明する。ＯＦＤＭシステムでは、時間／周波数同期が取られていない場合、セル間干渉（Ｉｎｔｅｒ−Ｃｅｌｌ  Ｉｎｔｅｒｆｅｒｅｎｃｅ）により、ＯＦＤＭ信号において互いに異なる端末間にマルチプレクシングが不可能となり得る。同期を取るためにＤ２Ｄ端末が直接同期信号を送受信し、全ての端末が個別的に同期を取ることは非効率的である。したがって、Ｄ２Ｄのような分散ノードシステムでは、特定のノードが代表同期信号を送信し、残りのＵＥがこれに同期を取ることができる。言い換えると、Ｄ２Ｄ信号送受信のために、一部のノード（このとき、ノードは、ｅＮＢ、ＵＥ、ＳＲＮ（ｓｙｎｃｈｒｏｎｉｚａｔｉｏｎ  ｒｅｆｅｒｅｎｃｅ  ｎｏｄｅ又はｓｙｎｃｈｒｏｎｉｚａｔｉｏｎ  ｓｏｕｒｃｅと呼ぶこともできる）であってもよい。）がＤ２Ｄ同期信号（Ｄ２ＤＳＳ、Ｄ２Ｄ  Ｓｙｎｃｈｒｏｎｉｚａｔｉｏｎ  Ｓｉｇｎａｌ）を送信し、残りの端末がこれに同期を取って信号を送受信する方式を使用することができる。
【００５１】
Ｄ２Ｄ同期信号としては、プライマリ同期信号（ＰＤ２ＤＳＳ（Ｐｒｉｍａｒｙ  Ｄ２ＤＳＳ））（又はＰＳＳＳ（Ｐｒｉｍａｒｙ  Ｓｉｄｅｌｉｎｋ  ｓｙｎｃｈｒｏｎｉｚａｔｉｏｎ  ｓｉｇｎａｌ））、セカンダリ同期信号（ＳＤ２ＤＳＳ（Ｓｅｃｏｎｄａｒｙ  Ｄ２ＤＳＳ））（又はＳＳＳＳ（Ｓｅｃｏｎｄａｒｙ  Ｓｉｄｅｌｉｎｋ  ｓｙｎｃｈｒｏｎｉｚａｔｉｏｎ  ｓｉｇｎａｌ））があり得る。ＰＤ２ＤＳＳは、所定長さのザドフチューシーケンス（Ｚａｄｏｆｆ−ｃｈｕ  ｓｅｑｕｅｎｃｅ）又はＰＳＳと類似／変形／反復された構造などであってもよい。ＳＤ２ＤＳＳは、Ｍ−シーケンス又はＳＳＳと類似／変形／反復された構造などであってもよい。もし、端末がｅＮＢから同期を取る場合、ＳＲＮはｅＮＢとなり、Ｄ２ＤＳＳはＰＳＳ／ＳＳＳとなる。ＰＤ２ＤＳＣＨ（Ｐｈｙｓｉｃａｌ  Ｄ２Ｄ  ｓｙｎｃｈｒｏｎｉｚａｔｉｏｎ  ｃｈａｎｎｅｌ）は、Ｄ２Ｄ信号送受信の前に端末が最も先に知らなければならない基本となる（システム）情報（例えば、Ｄ２ＤＳＳに関連する情報、デュプレックスモード（Ｄｕｐｌｅｘ  Ｍｏｄｅ、ＤＭ）、ＴＤＤ  ＵＬ／ＤＬ構成、リソースプール関連情報、Ｄ２ＤＳＳに関連するアプリケーションの種類など）が送信される（放送）チャネルであってもよい。ＰＤ２ＤＳＣＨは、Ｄ２ＤＳＳと同じサブフレーム上で又は後行するサブフレーム上で送信されてもよい。
【００５２】
ＳＲＮは、Ｄ２ＤＳＳ、ＰＤ２ＤＳＣＨ（Ｐｈｙｓｉｃａｌ  Ｄ２Ｄ  ｓｙｎｃｈｒｏｎｉｚａｔｉｏｎ  ｃｈａｎｎｅｌ）を送信するノードであってもよい。Ｄ２ＤＳＳは、特定のシーケンスの形態であってもよく、ＰＤ２ＤＳＣＨは、特定の情報を示すシーケンスであるか、又は事前に定められたチャネルコーディングを経た後のコードワードの形態であってもよい。ここで、ＳＲＮは、ｅＮＢ又は特定のＤ２Ｄ端末となり得る。部分ネットワークカバレッジ（ｐａｒｔｉａｌ  ｎｅｔｗｏｒｋ  ｃｏｖｅｒａｇｅ）又はカバレッジ外（ｏｕｔ  ｏｆ  ｎｅｔｗｏｒｋ  ｃｏｖｅｒａｇｅ）の場合には、端末がＳＲＮとなり得る。
【００５３】
図５のような状況でカバレッジ外（ｏｕｔ  ｏｆ  ｃｏｖｅｒａｇｅ）の端末とのＤ２Ｄ通信のために、Ｄ２ＤＳＳはリレーされてもよい。また、Ｄ２ＤＳＳは、多重ホップを介してリレーされてもよい。以下の説明において、同期信号をリレーするということは、直接基地局の同期信号をＡＦリレーすることだけでなく、同期信号の受信時点に合わせて別途のフォーマットのＤ２Ｄ同期信号を送信することも含む概念である。このように、Ｄ２Ｄ同期信号がリレーされることによって、カバレッジ内の端末とカバレッジ外の端末とが直接通信を行うことができる。図６には、このようなＤ２Ｄ同期信号のリレー、及びこれに基づいたＤ２Ｄ端末間の通信状況が例示されている。
【００５４】
一方、Ｄ２Ｄ通信は、ネットワークと端末の接続を必ずしも必要とするものではない。したがって、ＲＲＣ遊休状態（ｉｄｌｅ  ｓｔａｔｅ）の端末もＤ２Ｄ通信を行うことができ、この場合、タイミングアドバンス（Ｔｉｍｉｎｇ  Ａｄｖａｎｃｅ、ＴＡ）を知ることができないため、ＤＬ受信タイミングに同期を取ってＤ２Ｄ信号を送信することができる。一方、既存のＴＤＤシステムでの上りリンク信号の送信時点は（ＤＬ受信タイミング−ＴＡ−６２４Ｔｓ）に設定されており、６２４Ｔｓは、上りリンクサブフレームで信号を送信した後、下りリンクサブフレームで信号を受信するときにＴｘ／Ｒｘスイッチングタイムを確保するためである。すなわち、上りリンク信号の送信時にＴｘ／Ｒｘスイッチング周期（＝６２４Ｔｓ）だけのオフセットを印加することである。ここで、Ｔｓ＝１／（１５００＊２０４８）ｓであり、基本時間ユニット（ｂａｓｉｃ  ｔｉｍｅ  ｕｎｉｔ）を示す。したがって、図７に示したように、Ｄ２Ｄ通信においても、Ｔｘ／Ｒｘスイッチングのために所定長さのオフセットを印加してＤ２Ｄ送受信を行う場合、以降、下りリンクサブフレームの受信時に別途のガード区間を必要としなくなるという利点がある。オフセットの大きさは６２４Ｔｓであってもよい。
【００５５】
ただし、カバレッジ外の端末が存在し得るＤ２Ｄ通信の特性、Ｄ２Ｄ信号の種類などを考慮する場合、全ての場合に対して一律的に６２４Ｔｓオフセットを印加することは非効率的であり得る。例えば、カバレッジ外の端末の場合、Ｄ２Ｄ同期信号のリレーのときにオフセットを印加するものと約束されれば、Ｄ２Ｄ同期信号がリレーされる度にオフセットが適用され、これは、リレー回数が増加すると、同期が大きくずれる問題が発生し得る。
【００５６】
したがって、以下では、Ｄ２Ｄ通信における信号の送信時にオフセットの適用／使用に関する本発明の様々な実施例について説明する。以下の説明において、オフセットは、固定タイミングアドバンスオフセット（ｆｉｘｅｄ  ｔｉｍｉｎｇ  ａｄｖａｎｃｅ  ｏｆｆｓｅｔ）であって、６２４Ｔｓ、ホップカウントに応じて可変するもの、予め設定された値、Ｄ２Ｄ信号送信端末が観察したＤ２ＤＳＳ受信時点に応じて自分で決定した値、又は予め受信されたＤ２ＤＳＳと連動するＰＤ２ＤＳＣＨを介して指示されたものであってもよい。
【００５７】
実施例１
【００５８】
特定の基地局の同期カバレッジ内に位置しながらＤ２ＤＳＳを送信する場合には、所定のオフセットを適用して送信し、特定の基地局から開始されたが、Ｄ２ＤＳＳをリレーするときに当該基地局の同期カバレッジ外でＤ２ＤＳＳを送信する場合、あるいは特定の基地局のカバレッジ外で独立してＳＲＮとなってＤ２ＤＳＳを送信する場合には、別途のオフセットを適用しなくてもよい。
【００５９】
より詳細には、ＴＤＤシステムにおいて、端末がプライマリＤ２Ｄ同期信号及びセカンダリＤ２Ｄ同期信号を生成し、生成されたプライマリＤ２Ｄ同期信号及びセカンダリＤ２Ｄ同期信号がマッピングされたサブフレームを送信することができる。このとき、端末がカバレッジ内（ｉｎ  ｃｏｖｅｒａｇｅ）の端末である場合、サブフレームの送信に固定タイミングオフセットを適用し、カバレッジ外（ｏｕｔ  ｏｆ  ｃｏｖｅｒａｇｅ）の端末である場合、サブフレームの送信に固定タイミングオフセットを適用しなくてもよい。すなわち、端末のセル選択受信レベル値
【化２７】
2018164275.tif 000029
及びセル選択品質値
【化２８】
2018164275.tif 000030
がいずれも０より大きい場合（又はＳ  ｃｒｉｔｅｒｉｏｎを満足する場合）、前記端末は、前記サブフレームの送信時に、０よりも大きい値の固定タイミングアドバンスオフセットを適用することができる。もし、前記端末のセル選択受信レベル値及びセル選択品質値のうち１つでも０より小さい場合（又はＳ  ｃｒｉｔｅｒｉｏｎを満足しない場合）、前記端末は、前記サブフレームの送信時に、０の値を有する固定タイミングアドバンスオフセットを適用することができる。ここで、固定タイミングオフセットの適用は、下りリンク無線フレームを基準として適用されるものであってもよい。もし、前記端末のＤ２Ｄ同期信号の生成及び送信が同期信号のリレーである場合、プライマリＤ２Ｄ同期信号及びセカンダリＤ２Ｄ同期信号は、端末が受信したプライマリＤ２Ｄ同期信号及びセカンダリＤ２Ｄ同期信号と時間軸上で互いに異なるリソースにマッピングされて送信されてもよい。
【００６０】
上述した説明において、セル選択受信レベル値は、次の式１によって決定され、
【００６１】
【数１】
2018164275.tif 000031
【００６２】
前記
【化２９】
2018164275.tif 000032
は前記セル選択受信レベル値、
【化３０】
2018164275.tif 000033
はＲＳＲＰ（Ｒｅｆｅｒｅｎｃｅ  Ｓｉｇｎａｌ  Ｒｅｃｅｉｖｅｄ  Ｐｏｗｅｒ）、
【化３１】
2018164275.tif 000034
はセル内の最小要求受信レベル、
【化３２】
2018164275.tif 000035
はオフセット値、
【化３３】
2018164275.tif 000036
は、端末の最大送信電力値と端末の最大ＲＦ出力値との差及び０のうち大きい値、
【化３４】
2018164275.tif 000037
は臨時オフセット値であってもよい。また、セル選択品質値は、次の式２によって決定され、
【００６３】
【数２】
2018164275.tif 000038
【００６４】
前記
【化３５】
2018164275.tif 000039
は前記セル選択品質値、前記
【化３６】
2018164275.tif 000040
はＲＳＲＱ（Ｒｅｆｅｒｅｎｃｅ  Ｓｉｇｎａｌ  Ｒｅｃｉｅｖｅｄ  Ｑｕａｌｉｔｙ）、
【化３７】
2018164275.tif 000041
はセル内での最小要求品質レベル、
【化３８】
2018164275.tif 000042
はオフセット値、
【化３９】
2018164275.tif 000043
は臨時オフセット値であってもよい。前記式１及び式２に関連するパラメータに関するより詳細な事項は、３ＧＰＰ  ＴＳ  ３６．３０４文書を参照することができる。
【００６５】
上述した説明は、特にＴＤＤで適用されるものであってもよく、カバレッジ外の端末は、Ｄ２Ｄ同期信号のフォーマット又はＤ２Ｄ同期信号と共に（ＰＤ２ＤＳＣＨなどを介して）送信される情報を介して、デュプレックスモードがＴＤＤであることを認識することができる。または、特定のＣＣ（ｃｏｍｐｏｎｅｎｔ  ｃａｒｒｉｅｒ）が国別にデュプレックスモードが固定された場合、端末が当該国で電源が入った場合、当該ＣＣはＴＤＤであることを、端末が事前に知っていてもよい。カバレッジ外の端末は、ＴＤＤセルとして認識した場合、前記実施例及び後述する実施例のうち１つの方式でＤ２ＤＳＳが送信されることを認知し、それによるＤ２Ｄ信号の送信時にオフセットを適用するか否かを決定することができる。
【００６６】
上述した実施例は、Ｄ２ＤＳＳを送信する端末が特定の基地局の（直接）同期カバレッジ外にある場合には、オフセットの適用が必要でないこともあることを反映したものである。同期信号のリレーの観点で説明すると、オフセットが適用される場合、伝播遅延によるディレイを相殺させることができる効果もあり得る。ただし、カバレッジ外の場合、同期信号のリレーがカバレッジ内の場合に比べてさらに多く発生し得、その度にオフセットを適用すれば、同期信号の送信タイミングが大きくずれることもある。これに比べて、カバレッジ内の場合、端末は、基地局から同期信号を受信すればよいので、同期信号がリレーされる場合が比較的少なく、したがって、伝播遅延などを考慮してオフセットを適用することがさらに適切である。また、カバレッジ内の端末は、セルラーの下り及び上りリンクサブフレームと共存を考慮しなければならないため、Ｄ２Ｄ信号及びＤ２Ｄ同期信号の送信時にオフセットを適用することが好ましい。上述した実施例は、このようなＤ２Ｄ通信環境、特にＤ２Ｄ同期信号リレーという特殊性を反映することによって、同期信号の送信においてタイミング歪みを低減する効果がある。
【００６７】
上述した実施例の変形として、端末が送信したＤ２ＤＳＳに同期を取った端末がＤ２Ｄ信号を送信するときはオフセットを適用せず、多重ホップリレーされたＤ２ＤＳＳを受信した場合、ホップカウントに応じて連動したオフセットを適用することができる。ここで、ホップカウントに連動したオフセット値は、ＰＤ２ＤＳＣＨに含まれているか（ＰＤ２ＤＳＣＨにホップカウントが含まれて送信されていてもよい）、又は事前にホップカウントに応じて定められた値であってもよい。
【００６８】
上述した説明において、オフセットは、ホップカウントに応じて可変するものであってもよい。言い換えると、特定の基地局の（直接）同期カバレッジ内でＤ２ＤＳＳを送信するときはオフセットを適用し、ホップカウントが増加し、基地局の同期カバレッジ外である場合は、ホップカウントに連動したオフセットを適用することができる。ここで、ホップカウントに連動したオフセット値は、ＰＤ２ＤＳＣＨに含まれているか、又は事前にホップカウントにマッピングされているものであってもよい。ここで、ホップカウントとオフセット値との連動は、後述する実施例によることができる。Ｄ２ＤＳＳに直接ホップカウントによるオフセットが設定される場合、このＤ２ＤＳＳを受信したＵＥは、別途のホップカウントに連動したオフセットを適用しなくてもよい。
【００６９】
他の例として、ＴＤＤで動作する周波数帯域幅（例えば、構成搬送波）でネットワークカバレッジ内の端末がＤ２ＤＳＳを送信する場合、ＤＬ受信タイミングから６２４Ｔｓを適用して送信し、（ｉｎ  ｃｏｖｅｒａｇｅ又はｏｕｔ  ｃｏｖｅｒａｇｅ）端末が送信するＤ２ＤＳＳに同期を取ってＤ２Ｄ信号を送信する端末は、Ｄ２Ｄ信号を（Ｄ２ＤＳＳを含む）送信するときはオフセットを適用しなくてもよい。言い換えると、カバレッジ内の端末がＤ２ＤＳＳを送信するときはオフセットを適用し、カバレッジに関係なく、端末が送信したＤ２ＤＳＳに同期を取った端末のＤ２Ｄ信号の送信時にはオフセットを適用しないことである。
【００７０】
上述した説明において、ホップカウントとオフセット値の連動は、次の式３又は式４によって説明され得る。式３の場合、一定のホップ以上から追加オフセットを設定する方式であり、式４の場合、一定のホップまではオフセットを適用せず、その一定のホップ以降からオフセットを適用する方式である。上述したように、次の式３及び式４は、実施例１以外の他の実施例にも適用することができる。
【００７１】
【数３】
2018164275.tif 000044
【００７２】
前記式中、ｉは、ホップカウント、ｎは、何番目のホップから追加オフセットを設定するかに対するパラメータであって、事前に定められているか、又はネットワークによって設定／構成可能（物理層又は上位層信号によってｎ値が指示されてもよい）なもの、Ｎｏｆｆｓｅｔは、各ホップ別の平均オフセット値であって、事前に定められるか、又は端末の環境に応じて設定／構成可能な値であってもよい。Ｎｏｆｆｓｅｔが設定／構成可能な場合、事前にネットワークの物理層信号又は上位層信号によって指示されるか、又はＰＤ２ＤＳＣＨ、Ｄ２Ｄ物理層／上位層信号にＤ２Ｄ信号送信タイミングオフセット又はＮｏｆｆｓｅｔ値が含まれて指示されてもよい。例えば、Ｎｏｆｆｓｅｔは、Ｄ２Ｄ同期端末間の平均伝播遅延によって定められる値であってもよい。これは、数マイクロ秒（ｕｓ）であってもよく、ＣＰ長の関数（ｆｒａｃｔｉｏｎ  ｏｆ  ＣＰ  ｌｅｎｇｔｈ）として定義されてもよい。
【００７３】
【数４】
2018164275.tif 000045
【００７４】
前記式４において、ｉは、ホップカウント、δ（ａ）は、ａが０よりも大きい場合、１である関数、Ｎｏｆｆｓｅｔは、各ホップ別の平均オフセット値であって、事前に定められるか、又はＵＥの環境に応じて設定／構成可能な値、ｎは、何番目のホップまでオフセット無しに送信するかに対する定数であって、事前に定められているか、又はネットワークによって設定／構成可能であり、ネットワークは、そのために、ｎを物理層／上位層信号を介してシグナリングすることができる。ホップカウント０は、基地局がＰＳＳ／ＳＳＳを送信することを示す。前記式４を使用した具体例として、ホップカウント１までは別途のオフセットを印加しなくてもよい。ホップカウント１は、基地局同期カバレッジ内で基地局の指示によって又は特定の条件（基地局同期カバレッジ内の基地局の信号強度が一定臨界以上）を満足した端末がＤ２ＤＳＳを送信するため、別途のオフセットを印加する必要がないためである。しかし、同期カバレッジ外でＤ２ＤＳＳを送信する場合には、ホップ数の増加による伝播遅延を補償するために、所定のオフセットを導入することができる。Ｎｏｆｆｓｅｔが設定／構成可能な場合、事前にネットワークの物理層／上位層信号によって指示されるか、またはＰＤ２ＤＳＣＨ又はＤ２Ｄ物理層／上位層信号にＤ２ＤＳＳ  Ｔｘタイミングオフセット値又はＮｏｆｆｓｅｔ値が含まれて指示されてもよい。例えば、Ｎｏｆｆｓｅｔは、Ｄ２Ｄ同期端末間の平均伝播遅延によって定められる値であってもよい。これは、数ｕｓであってもよく、ＣＰ長の関数（ｆｒａｃｔｉｏｎ  ｏｆ  ＣＰ  ｌｅｎｇｔｈ）として定義されてもよい。図８は、Ｄ２ＤＳＳの多重ホップリレーが適用される場合、Ｄ２ＤＳＳの送信にオフセットを適用した場合及び適用していない場合の例（ｎ＝２であると仮定）を示す。ここで、Ｄ２ＤＳＳをリレーする端末間に伝播遅延がＮｏｆｆｓｅｔと類似している場合、Ｄ２ＤＳＳを送信するＵＥがほぼ同一の時点でＤ２ＤＳＳを送信できるようになるという利点がある。このように、Ｄ２ＤＳＳにホップカウントによるオフセットが印加されて送信される場合には、これに同期を取ったＵＥがＤ２Ｄ信号を送信するときはホップカウントに応じて別途のオフセットが設定されなくてもよい。また、このような状況でＤ２Ｄ信号を受信するＵＥは、Ｄ２Ｄ信号がＤ２ＤＳＳ受信時点で到着することを仮定することができる。
【００７５】
実施例２
【００７６】
端末がＤ２ＤＳＳを送信する場合にはオフセットを適用せず、このようなＤ２ＤＳＳを受信した端末がＤ２Ｄ信号の送信時にオフセットを適用することができる。すなわち、Ｄ２ＤＳＳの送信時には下りリンク受信タイミングに０のオフセットを適用してタイミングを設定することができる。多重ホップＤ２Ｄ同期信号のリレーである場合、Ｄ２Ｄ受信タイミングに０のオフセットを適用することができる。
【００７７】
図９には、このような例が示されている。図９を参照すると、基地局（又はＤ２Ｄ端末）から下りリンク信号を受信した端末１（ＵＥ  １）は、オフセット適用なしにＤ２ＤＳＳを送信することができる。端末１によってリレーされたＤ２ＤＳＳを受信した端末２（ＵＥ  ２）は、Ｄ２Ｄ信号（Ｄ２Ｄ  ｓｉｇｎａｌ）の送信時にオフセット（６２４Ｔｓ）を適用して送信することができる。オフセットの大きさは、ホップカウントに応じて可変されるもの、予め設定された値、Ｄ２Ｄ信号送信端末が観察したＤ２ＤＳＳの受信時点に応じて自分で決定した値、又は予め受信されたＤ２ＤＳＳと連動したＰＤ２ＤＳＣＨを介して指示されたものであってもよい。
【００７８】
Ｄ２Ｄ信号を送信するＵＥのタイミングと同様に、Ｄ２Ｄ信号を受信したＵＥのタイミングも定義される必要がある。Ｄ２Ｄ信号を受信する時点は、特定のＵＥがＤ２ＤＳＳを受信したタイミングにオフセットが印加された時点からであることを仮定することができる。
【００７９】
多重ホップ同期信号のリレーのとき、例外的に、Ｄ２Ｄ信号送信ＵＥがＤ２ＤＳＳを受信するとき、基地局の同期信号が一定臨界以下の電力で受信される場合には、（Ｄ２ＤＳＳを除いた）Ｄ２Ｄ信号送受信時に別途のオフセットを適用せずに信号送受信を行うことができる。これは、特定の基地局同期カバレッジを外れた場合には当該基地局の上りリンクに影響を及ぼさないため、別途のオフセットを設定しないことである。これは、基地局の信号受信電力に応じてオフセットを適用するか否かを設定することもできるが、ホップカウントがオフセットを適用するか否かのメトリックであってもよい。例えば、一定のホップカウント以上ではオフセットを適用しないか、又は他のオフセットを適用することである。
【００８０】
実施例３
【００８１】
端末がＤ２ＤＳＳを送信する場合にはオフセットを適用し、端末が送信したＤ２ＤＳＳに同期を取った端末はＤ２Ｄ信号の送信時にオフセットを適用しなくてもよい。Ｄ２ＤＳＳを送信する端末が、Ｄ２ＤＳＳを送信したサブフレームの次のサブフレームで下りリンク信号を受信しなければならない場合、Ｔｘ／Ｒｘスイッチングのためのガード区間が必要である。このガード区間のために、Ｄ２ＤＳＳを送信する端末の場合にオフセットを適用し、このように送信されたＤ２ＤＳＳに同期を取った端末はオフセットを適用しない。図１０には、実施例３のオフセット適用方式が示されている。図示のように、端末１（ＵＥ  １）は、Ｄ２ＤＳＳの送信時にオフセットを適用し、オフセットが適用されて送信されたＤ２ＤＳＳを受信した端末２（ＵＥ  ２）は、Ｄ２Ｄ信号の送信時にオフセットを適用しない。
【００８２】
実施例４
【００８３】
ＴＤＤで動作する周波数帯域でＤ２Ｄ端末は、レファレンスタイミングから常にオフセット（６２４Ｔｓ）を適用してＤ２Ｄ信号を送信することができる。ここで、レファレンスタイミングは、基地局からのＰＳＳ／ＳＳＳ受信時点又は他の端末のＤ２ＤＳＳ受信時点であってもよい。もし、検出される同期信号（一定の強度／品質以上の同期信号）がない場合、予め設定されたＤ２Ｄフレーム番号、無線フレーム又はサブフレーム境界がレファレンスタイミングであってもよい。
【００８４】
周辺に同期ソースがないため同期ソースとなった端末の場合、予め設定されたＤ２Ｄフレーム番号、無線フレーム又はサブフレーム境界のうち１つを基準として、オフセットを適用してＤ２Ｄ同期信号を送信することができる。この方法は、ＴＤＤバンドでは常に６２４Ｔｓオフセットを適用して送信し、Ｄ２Ｄ送信後、下りリンク送信又は他のＤ２Ｄ受信動作時にＴｘ−Ｒｘスイッチング区間を確保できるようにし、端末の具現を単純にするという利点がある。
【００８５】
実施例５
【００８６】
ＴＤＤで動作するバンドでＤ２ＤＳＳｕｅ_ｏｏｎ（ｐｈｙｓｉｃａｌ−ｌａｙｅｒ  ｓｉｄｅｌｉｎｋ  ｓｙｎｃｈｒｏｎｉｚａｔｉｏｎ  ｉｄｅｎｔｉｔｙ
【化４０】
2018164275.tif 000046
）に同期を取った（Ｄ２Ｄ信号送信のレファレンスタイミングをＤ２ＤＳＳ受信時点として設定した）端末、及び周辺にＤ２Ｄ同期信号が検出されないため、自分で同期信号を送信する端末は、６２４Ｔｓオフセットを適用しなくてもよい。近くにセルラーネットワークが見えない場合に下りリンク受信を期待しないため、オフセット（６２４Ｔｓ）を適用しないことである。
【００８７】
実施例６
【００８８】
ＴＤＤで動作するバンドでＤ２ＤＳＳｕｅ_ｎｅｔであり、且つＰＤ２ＤＳＣＨでカバレッジ指示子が０に設定された（すなわち、Ｄ２ＤＳＳｕｅ_ｎｅｔを送信するが、ＵＥはカバレッジ外にある場合）Ｄ２ＤＳＳ、又はＤ２ＤＳＳｕｅ_ｏｏｎに同期を取る端末、または周辺にＤ２Ｄ同期信号が検出されないため自分で同期信号を送信する端末の場合には、６２４Ｔｓオフセットを適用しないようにすることができる。その他の場合には、オフセット６２４Ｔｓを適用してＤ２Ｄ信号及びＤ２ＤＳＳを送信することができる。
【００８９】
本発明の実施例による装置構成
【００９０】
図１１は、本発明の実施形態に係る送信ポイント装置及び端末装置の構成を示した図である。
【００９１】
図１１を参照すると、本発明に係る送信ポイント装置１０は、受信モジュール１１、送信モジュール１２、プロセッサ１３、メモリ１４及び複数個のアンテナ１５を含むことができる。複数個のアンテナ１５は、ＭＩＭＯ送受信をサポートする送信ポイント装置を意味する。受信モジュール１１は、端末からの上りリンク上の各種信号、データ及び情報を受信することができる。送信モジュール１２は、端末への下りリンク上の各種信号、データ及び情報を送信することができる。プロセッサ１３は、送信ポイント装置１０全般の動作を制御することができる。
【００９２】
本発明の一実施例に係る送信ポイント装置１０のプロセッサ１３は、上述した各実施例において必要な事項を処理することができる。
【００９３】
送信ポイント装置１０のプロセッサ１３は、その他にも、送信ポイント装置１０が受信した情報、外部に送信する情報などを演算処理する機能を行い、メモリ１４は、演算処理された情報などを所定時間格納することができ、バッファ（図示せず）などの構成要素に置き換えてもよい。
【００９４】
次いで、図１１を参照すると、本発明に係る端末装置２０は、受信モジュール２１、送信モジュール２２、プロセッサ２３、メモリ２４及び複数個のアンテナ２５を含むことができる。複数個のアンテナ２５は、ＭＩＭＯ送受信をサポートする端末装置を意味する。受信モジュール２１は、基地局からの下りリンク上の各種信号、データ及び情報を受信することができる。送信モジュール２２は、基地局への上りリンク上の各種信号、データ及び情報を送信することができる。プロセッサ２３は、端末装置２０全般の動作を制御することができる。
【００９５】
本発明の一実施例に係る端末装置２０のプロセッサ２３は、上述した各実施例において必要な事項を処理することができる。
【００９６】
端末装置２０のプロセッサ２３は、その他にも、端末装置２０が受信した情報、外部に送信する情報などを演算処理する機能を行い、メモリ２４は、演算処理された情報などを所定時間格納することができ、バッファ（図示せず）などの構成要素に置き換えてもよい。
【００９７】
以上のような送信ポイント装置及び端末装置の具体的な構成は、前述した本発明の様々な実施例で説明した事項が独立して適用されたり、又は２つ以上の実施例が同時に適用されるように具現することができ、重複する内容は明確性のために説明を省略する。
【００９８】
また、図１１に対する説明において、送信ポイント装置１０についての説明は、下りリンク送信主体又は上りリンク受信主体としての中継機装置に対しても同一に適用することができ、端末装置２０についての説明は、下りリンク受信主体又は上りリンク送信主体としての中継機装置に対しても同一に適用することができる。
【００９９】
上述した本発明の実施例は、様々な手段によって具現することができる。例えば、本発明の実施例は、ハードウェア、ファームウエア（ｆｉｒｍｗａｒｅ）、ソフトウェア又はそれらの結合などによって具現されてもよい。
【０１００】
ハードウェアによる具現の場合、本発明の実施例に係る方法は、１つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現されてもよい。
【０１０１】
ファームウェアやソフトウェアによる具現の場合、本発明の実施例に係る方法は、以上で説明した機能又は動作を実行するモジュール、手順又は関数などの形態で具現することができる。ソフトウェアコードはメモリユニットに格納され、プロセッサによって駆動されてもよい。前記メモリユニットは、前記プロセッサの内部又は外部に設けられ、公知の様々な手段によってプロセッサとデータを授受することができる。
【０１０２】
上述したように開示された本発明の好適な実施形態に関する詳細な説明は、当業者が本発明を具現し、実施できるように提供されている。以上では、本発明の好適な実施形態を参照して説明したが、当該技術分野における熟練した当業者は、本発明の領域から逸脱しない範囲内で本発明を様々に修正及び変更させることができるということが理解できる。例えば、当業者は、上述した実施例に記載された各構成を互いに組み合わせる方式で用いることができる。したがって、本発明は、ここに開示された実施形態に制限されるものではなく、ここに開示された原理及び新規な特徴と一致する最も広い範囲を与えるためのものである。
【０１０３】
本発明は、本発明の精神及び必須の特徴から逸脱しない範囲で、他の特定の形態に具体化することができる。そのため、上記の詳細な説明はいずれの面においても制限的に解釈してはならず、例示的なものとして考慮しなければならない。本発明の範囲は、添付した請求項の合理的解釈によって定められなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を付与するためのものである。また、特許請求の範囲で明示的な引用関係を有しない請求項を結合して実施例を構成してもよく、出願後の補正によって新しい請求項として含めてもよい。
【産業上の利用可能性】
【０１０４】
上述したような本発明の実施形態は、様々な移動通信システムに適用可能である。
【図１】
2018164275.tif 000060
【図２】
2018164275.tif 000061
【図３】
2018164275.tif 000062
【図４】
2018164275.tif 000063
【図５】
2018164275.tif 000064
【図６】
2018164275.tif 000065
【図７】
2018164275.tif 000066
【図８】
2018164275.tif 000067
【図９】
2018164275.tif 000068
【図１０】
2018164275.tif 000069
【図１１】
2018164275.tif 000070